(57)【要約】【課題】  一枚のダンボール板から作られる組立式収納箱であって、その組立に当たっては、止具や接着剤が不要であり、組立、解体が簡単であり、かつ物の出入れが容易で、その上再利用ができる。【解決手段】  底板部１の前、後２辺に前、後板部２，３が折り畳み可能に接続され、また後板の左、右２辺には、左、右板部５，６が折り畳み可能に接続され、さらに前板部２の前辺に蓋板部４が折り畳み可能に接続され、前板部２と、左、右板５，６には、相互に差込み結合可能な差込舌片ｔとスリットｓが形成され、さらに蓋板部４と、左、右板部５，６および後板部３には、相互に差込み結合可能な差込舌片ｔとスリットｓが形成される。【選択図】図４
0003122125.tif 000002
【実用新案登録請求の範囲】
【請求項１】
一枚の板材により形成される組立式収納箱であって、
四角な底板部（１）と、該底板部（１）の相対向する前、後辺に折り線（Ｆ２，Ｆ３）を介して接続される前板部（２）および後板部（３）と、前記前板部（２）の、底板部（１）と反対側の一辺に折り線（Ｆ４）を介して接続される蓋板部（４）と、前記後板部（３）の相対向する左、右辺に折り線（Ｆ５，Ｆ６）を介して接続される左側板部（５）および右側板部（６）とを備え、
左板部（５）の前辺、左辺および後辺には、折り線（Ｆ７，Ｆ８，Ｆ９）を介して下部内フラップ（７）、中間部内フラップ（８）および上部内フラップ（９）がそれぞれ開閉可能に接続され、また、右板部（６）の前辺、右辺および後辺には、折り線（Ｆ１０，Ｆ１１，Ｆ１２）を介して下部内フラップ（１０）、中間部内フラップ（１１）および上部内フラップ（１２）がそれぞれ開閉可能に接続され、さらに、後板部（３）の後辺には、外フラップ（１３）が開閉可能に接続されており、
後板部（３）の後辺と蓋板部（４）の前辺には、相互に着脱可能に差込み結合されるスリット（ｓ）と差込み舌片（ｔ）が設けられ、
また、左板部（５）の左辺および右板部（６）の右辺と、前板部（２）の左辺および右辺には、相互に着脱可能に差込み結合されるスリット（ｓ）と差込み舌片（ｔ）が設けられ、
さらに、左、右板部（５，６  ）の後辺と、蓋板部（４）の左、右辺には、相互に着脱可能に差込み結合されるスリット（ｓ）と差込み舌片（ｔ）が設けられることを特徴とする、組立式収納箱
【請求項２】
前記底板部（１）の左辺および右辺と、左板部（５）の前辺および右板部（６）の前辺には、相互に着脱可能に差込み結合されるスリット（ｓ）と差込み舌片（ｔ）が設けられることを特徴とする、前記請求項１記載の組立式収納箱。
【請求項３】
前記左板部（５）と右板部（６）を、後板部（３）に対して折り線（Ｆ５，Ｆ６）に沿って略直角に起立すると共に後板部（３）を、底板部（１）に対して折り線（Ｆ３）に沿って略直角に起立することにより、底板部（１）の前方および上方にわたって物の出入れ空間が形成されることを特徴とする、前記請求項１または２記載の組立式収納箱。
【考案の詳細な説明】
【技術分野】
【０００１】
本考案は、組立、解体が簡単であり、物の出入れがし易い、組立式収納箱に関する。
【背景技術】
【０００２】
従来、工場で生産した部品や製品の運搬、家庭の引っ越し時の荷物の運搬などに、収納箱が用いられているが、かかる収納箱として一般にダンボール箱が良く知られている。
【考案の開示】
【考案が解決しようとする課題】
【０００３】
ところが、従来のダンボール箱は、図１０に示すように、
(1) ダンボール板を折り線に沿って箱状に折り込み、接合端縁部同志をファスナーあるいは接着剤を用いて接合して、ダンボール箱を組み立てるようにしているので、そのダンボール箱の組み立てに当たっては、前記ファスナー、あるいは接着剤を必要として、その組立、分解作業が面倒である。
【０００４】
(2) 組み立て後のダンボール箱は、その底板に、左右に分離する切目ができるので、その切目を、ガムテープなどで閉じる面倒な作業が必要があり、また、重量の大な収容物の場合、前記切目が裂けて、そこから収容物が落下する虞れがある。
【０００５】
(3) 収納箱内への物の出入れは、上面の出入口のみを通して行なうので、物の出入れ、特に、大きな物（収納箱いっぱいに収まる大きさの物）の出入れがしずらい。
【０００６】
(4) 解体するときには、テープやファスナーを除去する必要があるため、収納箱を傷付けたり、損傷したりして、再使用が難しい。
【０００７】
などの課題がある。
【０００８】
本考案はかかる実情に鑑みてなされたもので、前記(1) 〜(4) ) の課題をすべて解決できるようにした、新規な組立式収納箱を提供することを目的とする。
【課題を解決するための手段】
【０００９】
前記目的を達成するために、請求項１記載の考案は、一枚の板材により形成される組立式収納箱であって、
四角な底板部と、該底板部の相対向する前、後辺に折り線を介して接続される前板部および後板部と、前記前板部の、底板部と反対側の一辺に折り線を介して接続される蓋板部と、前記後板部の相対向する左、右辺に折り線を介して接続される左側板部および右側板部とを備え、
左板部の前辺、左辺および後辺には、折り線を介して下部内フラップ、中間部内フラップおよび上部内フラップがそれぞれ開閉可能に接続され、また右板部の前辺、右辺および後辺には、折り線を介して下部内フラップ、中間部内フラップおよび上部内フラップがそれぞれ開閉可能に接続され、さらに、後板部の後辺には、外フラップが開閉可能に接続されており、
後板部の後辺と蓋板部の前辺には、相互に着脱可能に差込み結合されるスリットと差込み舌片が設けられ、
また、左板部の左辺および右板部の右辺と、前板部の左辺および右辺には、相互に着脱可能に差込み結合されるスリットと差込み舌片が設けられ、
さらに、左、右板部の後辺と、蓋板部の左、右辺には、相互に着脱可能に差込み結合されるスリットと差込み舌片が設けられることを特徴としている。
【００１０】
また、請求項２記載の考案は、前記請求項１記載のものにおいて、前記底板部の左辺および右辺と、左板部の前辺および右板部の前辺には、相互に着脱可能に差込み結合されるスリットと差込み舌片が設けられることを特徴としている。
【００１１】
さらに、請求項３記載の考案は、前記請求項１または２記載のものにおいて、前記左板部と右板部を、後板部に対して折り線に沿って略直角に起立すると共に後板部を、底板部に対して折り線に沿って略直角に起立することにより、底板部の前方および上方にわたって物の出入れ空間が形成されることを特徴としている。
【考案の効果】
【００１２】
請求項各項記載の考案によれば、組立式収納箱を一枚の板材から作ることができ、その組立にはファスナーなどの止具、接着剤などを使用することなく、しかも組立、解体が容易であり、さらに解体によって素材を傷つけたり、損傷したりすることがないので、再利用が可能である。また、組み立て後に底板に切目ができることがなく、その切目を封緘するためのガムテープなどの封緘材が不要である。
【００１３】
また、請求項２項記載の考案によれば、底板部の左辺および右辺と、左板部の前辺および右板部の前辺には、相互に着脱可能に差込み結合されるスリットと差込み舌片を設けたことにより、底板部と左、右板部との結合強度を一層高めることができ、組立式収納箱の収容容積の大きくしても十分の強度をもつ組立式収納箱を提供することができる。
【００１４】
さらに、請求項３項記載の考案によれば、底板部の前方および上方にわたって物の出入れ空間を形成することができるので、物、特に大きな物の出入れがし易い組立式収納箱を提供することができる。
【考案を実施するための最良の形態】
【００１５】
本考案の実施の形態を、添付図面に例示した本考案の実施例に基づいて以下に具体的に説明する。
【００１６】
まず、図１〜８を参照して本考案の第１実施例について説明する。
【００１７】
この第１実施例は、本考案組立式収納箱を、ダンボール箱に実施した場合であり、図１は、組立式ダンボール箱の組み立て完了状態の斜視図、図２は、組立式ダンボール箱の展開平面図、図３は、図１の３−３線に沿う断面図、図４〜８は、組立式ダンボール箱の組立手順を示す斜視図である。
【００１８】
本考案にかかる組立式収納箱、すなわち組立式ダンボール箱Ｂは、一枚のダンボール板Ｐにより、ファスナー、接着剤などの固定手段を用いることなく、図１に示すように、開閉可能な蓋板部４を有して直方状に組み立てられる。ダンボール箱Ｂはダンボール板Ｐの組み立てにより構成されるものであり、ダンボール板Ｐは、一枚のダンボール原紙を所定の形状に裁断して形成される。
【００１９】
図２には、ダンボール板Ｐを一平面の展開した状態が示されており、図２において、左側を「前」、右側を「後」、下方を「左」、上方を「右」として、このダンボール板Ｐの構造を説明する。
【００２０】
ダンボール板Ｐは、四角な底板部１と、該底板部１の相対向する前、後２辺に折り線Ｆ２，Ｆ３を介してそれぞれ接続される前板部２および後板部３と、前記前板部２の、底板部１と反対側の一辺に折り線Ｆ４を介して接続される蓋板部４と、前記後板部３の相対向する左、右２辺に折り線Ｆ５，Ｆ６を介してそれぞれ接続される左板部５および右板部６とを備えており、底板部１と蓋板部４、前板部２と後板部３および左板部５と右板部６は、それぞれ同じ大きさに形成されている。
【００２１】
さらに、左板部５の前辺、左辺および後辺には、折り線Ｆ７，Ｆ８，Ｆ９を介して下部内フラップ７、中間部内フラップ８および上部内フラップ９がそれぞれ開閉可能に接続され、また右板部６の前辺、右辺および後辺には、折り線Ｆ１０，Ｆ１１，Ｆ１２を介して下部内フラップ１０、中間部内フラップ１１および上部内フラップ１２がそれぞれ開閉可能に接続され、さらに、後板部３の前辺には、折り線１３Ｆを介して外フラップ１３が開閉可能に接続されている。
【００２２】
後板部３の後辺と外フラップ１３との接続部には、折り線Ｆ１３に沿って一対のスリットｓ，ｓが穿設され、一方、蓋板部４の前辺には、前記スリットｓ，ｓに対応する一対の差込舌片ｔ，ｔが一体に突設されている。また左板部５の左辺と中間部内フラップ８との接続部には、折り線Ｆ８に沿って一対のスリットｓ，ｓが穿設され、一方、前板部２の左辺には、前記スリットｓ，ｓに対応する差込舌片ｔ，ｔが一体に突設されている。さらに右板部６の右辺と中間部内フラップ１１との接続部には、折り線Ｆ１１に沿って一対スリットｓ，ｓが穿設され、一方、前板部２の左、右辺には前記スリットｓ，ｓに対応する差込舌片ｔ，ｔが一体に突設されている。さらにまた左板部５の後辺と上部内フラップ９との接続部の中央には、折り線Ｆ９に沿って一つのスリットｓが穿設され、一方、蓋板部４の左辺の中央には、前記一つのスリットｓに対応する一つの差込舌片ｔが一体に突設されており、同じく、右板部６の後辺と上部内フラップ１２との接続部の中央には、折り線Ｆ１２に沿って一つのスリットｓが穿設され、一方、蓋板部４の右辺の中央には、前記一つのスリットｓに対応する一つの差込舌片ｔが一体に突設されている。
【００２３】
そして、ダンボール板Ｐよりダンボール箱Ｂを組み立てるとき、後に述べるように、互いに対応するスリットｓと、差込舌片ｔとは、抜差自在に差込み、摩擦結合され、ダンボール箱Ｂの組立にあたり、貼着テープ、接着剤、止具などの固着手段は一切不要で、ダンボール箱Ｂの組立が可能である。
【００２４】
この第１実施例では、前記差込舌片ｔは、矩形状に形成され、またこの差込舌片ｔが差込み、摩擦結合されるスリットｓは、直状の細い長孔により形成されるが、これらは相互に結合した状態では、妄りに外れることがないように形成されるものであり、たとえば、差込舌片ｔと、スリットｓとに、互いに係合する雌、雄部を形成してもよく、また、差込舌片ｔを円弧状に、またスリットｓを円弧孔に形成してもよい。
【００２５】
つぎに、図４〜８を参照して、展開状態のダンボール板Ｐを、ダンボール箱Ｂに組み立てる手順について説明する。
【００２６】
(1) まず、図４に示すように展開状態にあるダンボール板Ｐの左、右板部５，６を、図  ５，６に示すように、後板部３に対して折り線Ｆ５，Ｆ６に沿って互いに対向するように略直角に起立させる。
【００２７】
(2) つぎに、図６に示すように、後板部３を底板部１に対して折り線Ｆ３に沿って略直角に起立させる。これにより、底板１上の３方、すなわち左方、右方および後方は、起立した左、右板５，６および後板３により取り囲まれ、これにより、ダンボール箱Ｂは、底板部１上の前方および上方が共に開放状態となり、物Ｏの出入空間となる。このとき左、右の下部内フラップ７，１０はそれぞれ折り線Ｆ７，Ｆ１０に沿って内側に略直角に閉じられて底板部１上に重ね合わされ、底板部１を補強することができる。図６に示すように、組立途中のダンボール箱Ｂ内は、底板部１の前方および上方が連通状態で開放され、この前方および上方の両方を通してダンボール箱Ｂ内の底板部１上に物Ｏを出入れすることができる。
【００２８】
(3) つぎに、図７に示すように、前板部２を底板部１に対して折り線Ｆ２に沿って略直角に起立し、該前板部２の左、右辺の一対の差込舌片ｔ，ｔを、左、右板部５，６の左、右辺の一対のスリットｓ，ｓに差込み結合する。このとき、左、右の中間部フラップ８，１１は、前板部２の内面に重なるように閉じられる。これにより、後板部３、左、右板部５，６および前板部２は、底板部１上に起立状態で固定される。そして、ダンボール箱Ｂは、上面のみが開放される。このとき、上部内フラップ９，１２および外フラップ１３は開放することにより、通常のダンボールと同じく、上面からダンボール箱Ｂ内に物Ｏを出入れすることができる。
【００２９】
(4) 最後に、図８に示すように、上部内フラップ９，１２を閉じ、それらの上に外フラップ１３を閉じたのち、蓋板部４を折り線Ｆ４に沿って略直角に閉じ、蓋板前辺の一対の差込舌片ｔ，ｔおよび左、右辺の各一つの差込舌片ｔを、後板部３の後辺の一対のスリットｓ，ｓおよび左、右板部５，６の後辺の各一つのスリットｓにそれぞれ差込み結合して、ダンボール箱Ｂを閉じ状態に組み立てることができる。
【００３０】
また、前記ダンボールＢを解体するときは、前記(1) 〜(4) の操作を逆に行なえばよい。
【００３１】
つぎに、図９には本考案の第２実施例が示される。この第２実施例において、前記第１実施例と同じものには同じ符号が付される。
【００３２】
この第２実施例は、収納容積の大きい組立式収納箱に適用して好適であって、底板部１と、左、右板部５，６の接続強度を一層高めるようにしたものであり、底板部１の左、右辺には、一対の差込舌片ｔ，ｔが一体に突設され、また左、右板部５，６の前辺には、それらの差込舌片ｔ，ｔに対応する一対のスリットｓ，ｓが折り線Ｆ７，Ｆ１０に沿って穿設されている。
【００３３】
ダンボール箱Ｂの組み付けに当たって、左、右板部５，６を折り線Ｆ５，Ｆ６に沿って起立したのち、底板部１側へ折り線Ｆ３に沿って前方に移動する際に、前記一対のスリットｓ，ｓを、底板部１の左、右辺の一対の差込舌片ｔ，ｔに差込み、摩擦結合する。
【００３４】
以上により、この第２実施例のものは、底板部１と、左、右板部５，６との結合強度が高められ、ダンボール箱Ｂを大型に形成する場合に好適である。
【００３５】
以上、本考案の実施例について説明したが、本考案はその実施例に限定されることなく、本考案の範囲内で種々の実施例が可能である。
【００３６】
たとえば、前記実施例では、本考案収納箱を、ダンボール板により形成した場合を説明したが、これを他の紙板、合成樹脂板、木板など他の板材により構成してもよいことは勿論である。
【図面の簡単な説明】
【００３７】
【図１】組立式ダンボール箱の組み立て完了状態の斜視図
【図２】組立式ダンボール箱の展開平面図
【図３】図１の３−３線に沿う断面図
【図４】組立式ダンボール箱の組立手順を示す斜視図
【図５】組立式ダンボール箱の組立手順を示す斜視図
【図６】組立式ダンボール箱の組立手順を示す斜視図
【図７】組立式ダンボール箱の組立手順を示す斜視図
【図８】組立式ダンボール箱の組立手順を示す斜視図
【図９】本考案の第２実施例にかかるダンボール箱の展開平面図
【図１０】従来のダンボール箱の斜視図
【符号の説明】
【００３８】
１            底板部
２            前板部
３            後板部
４            蓋板部
５            左板部
６            右板部
７            下部内フラップ
８            中間部内フラップ
９            上部内フラップ
１０          下部内フラップ
１１          中間部内フラップ
１２          上部内フラップ
１３          外フラップ
Ｆ２〜Ｆ１３  折れ線
ｔ            差込舌片
ｓ            スリット
【図１】
0003122125.tif 000003
【図２】
0003122125.tif 000004
【図３】
0003122125.tif 000005
【図４】
0003122125.tif 000006
【図５】
0003122125.tif 000007
【図６】
0003122125.tif 000008
【図７】
0003122125.tif 000009
【図８】
0003122125.tif 000010
【図９】
0003122125.tif 000011
【図１０】
0003122125.tif 000012